(57)【要約】【課題】刈刃の上方への穀稈屑や泥土の堆積による切断性能の低下。【解決手段】刈取装置４の刈刃１０は刈取装置４のフレーム２０に固定状態に設けた下刃２１と左右に往復摺動する上刃２２により構成し、前記下刃２１のうち左右中央位置の中央下刃部２３は他の下刃２１の刃部２４より大きく形成し、この中央下刃部２３を基準に前記左右の上刃２２を左側に位置する左側上刃２２Ａと右側に位置する右側上刃２２Ｂとに分割形成する。上刃２２の上側には刈刃押さえ部材２６を上刃２２の摺動方向に所定間隔を置いて複数設け、刈刃押さえ部材２６は刈刃押さえ部材２６の基部の取付部２７をフレーム２０側に固定する。刈刃押さえ部材２６の先端部に固定のプレート部２９を前記上刃２２の上面に臨ませた構成とし、複数の刈刃押さえ部材２６のうち、前記中央下刃部２３の左右両側の刈刃押さえ部材２６Ａのプレート部２９は互いに接近させて中央下刃部２３上に臨ませる。【選択図】図２
2012029594.tif 000002
【特許請求の範囲】
【請求項１】
走行装置（２）の上方に脱穀装置（３）を設け、走行装置（２）の前側に穀稈を刈り取る刈刃（１０）を有する刈取装置（４）を設け、前記刈刃（１０）は、前記刈取装置（４）のフレーム（２０）に固定状態に設けた下刃（２１）と左右に往復摺動する上刃（２２）により構成し、前記下刃（２１）のうち左右中央位置の中央下刃部（２３）は、他の下刃（２１）の刃部（２４）より大きく形成し、この中央下刃部（２３）を基準に、前記左右の上刃（２２）を左側に位置する左側上刃（２２Ａ）と右側に位置する右側上刃（２２Ｂ）とに分割形成し、該上刃（２２）の上側には、摺動する上刃（２２）を上方から押さえる刈刃押さえ部材（２６）を上刃（２２）の摺動方向に所定間隔を置いて複数設け、刈刃押さえ部材（２６）は、該刈刃押さえ部材（２６）の基部の取付部（２７）を前記フレーム（２０）側に固定し、刈刃押さえ部材（２６）の先端部に固定のプレート部（２９）を前記上刃（２２）の上面に臨ませた構成とし、複数設けた刈刃押さえ部材（２６）のうち、前記中央下刃部（２３）の左右両側の刈刃押さえ部材（２６Ａ）のプレート部（２９）は互いに接近させて中央下刃部（２３）上に臨ませたことを特徴とするコンバイン。
【請求項２】
請求項１において、前記中央下刃部（２３）の左右両側の刈刃押さえ部材（２６Ａ）のプレート部（２９）の夫々の先端は、少なくとも、中央下刃部（２３）の前後方向中心部よりも夫々前方に突出させたことを特徴とするコンバイン。
【請求項３】
請求項２において、前記左側上刃（２２Ａ）と右側上刃（２２Ｂ）とが接近方向に摺動した状態で、各刈刃押さえ部材（２６Ａ）の左右のプレート部（２９）の端縁の間に、上下に貫通する孔部（３１）が形成される構成としたことを特徴とするコンバイン。
【請求項４】
請求項１または請求項２または請求項３において、前記中央下刃部（２３）の左右両側の刈刃押さえ部材（２６Ａ）以外の他の刈刃押さえ部材（２６）のプレート部（２９）には、下刃（２１）の刃部（２４）の上方に臨む凸形状の突出部（３０）を設けたことを特徴とするコンバイン。
【請求項５】
請求項１または請求項２または請求項３または請求項４において、前記下刃（２１）の各刃部（２４）の上面には、下方に凹んで潤滑部材を充填させる凹部（３３）を形成したことを特徴とするコンバイン。
【請求項６】
請求項１または請求項２または請求項３または請求項４において、複数の刈刃押さえ部材（２６）のうちの、所定位置の刈刃押さえ部材（２６）に注油ノズル（３５）を取付けたことを特徴とするコンバイン。
【発明の詳細な説明】
【技術分野】
【０００１】
本発明は、コンバインに係るものである。
【背景技術】
【０００２】
従来、刈取装置の刈刃を、刈取装置のフレームに固定状態に設けた下刃と左右に往復摺動する上刃により構成し、前記下刃のうち左右中央位置の中央下刃部は、他の下刃の刃部より大きく形成し、この中央下刃部を基準に、左側に位置する左側上刃と右側に位置する右側上刃とに夫々別体に形成して前記上刃を構成し、該上刃の上方位置には、摺動する上刃を上方から押さえる刈刃押さえ部材を上刃の摺動方向に所定間隔を置いて複数設けた構成は公知である（特許文献１）。
【先行技術文献】
【特許文献】
【０００３】
【特許文献１】特開平７−３２２７３８号公報
【発明の概要】
【発明が解決しようとする課題】
【０００４】
前記公知例の刈刃押さえ部材は、該刈刃押さえ部材の基部の取付部を前記フレームに固定し、取付部に固定のプレート部を前記上刃の上面上方に臨ませて構成しているが、前記中央下刃部の左右両側に設けた刈刃押さえ部材は互いに離れており、中央下刃部の上方に穀稈屑や泥土が堆積し、切断性能が低下するという課題がある。
本願は、刈刃押さえ部材の構成を工夫し、刈刃の切断性能を向上させたものである。
【課題を解決するための手段】
【０００５】
請求項１の発明は、走行装置２の上方に脱穀装置３を設け、走行装置２の前側に穀稈を刈り取る刈刃１０を有する刈取装置４を設け、前記刈刃１０は、前記刈取装置４のフレーム２０に固定状態に設けた下刃２１と左右に往復摺動する上刃２２により構成し、前記下刃２１のうち左右中央位置の中央下刃部２３は、他の下刃２１の刃部２４より大きく形成し、この中央下刃部２３を基準に、前記左右の上刃２２を左側に位置する左側上刃２２Ａと右側に位置する右側上刃２２Ｂとに分割形成し、該上刃２２の上側には、摺動する上刃２２を上方から押さえる刈刃押さえ部材２６を上刃２２の摺動方向に所定間隔を置いて複数設け、刈刃押さえ部材２６は、該刈刃押さえ部材２６の基部の取付部２７を前記フレーム２０側に固定し、刈刃押さえ部材２６の先端部に固定のプレート部２９を前記上刃２２の上面に臨ませた構成とし、複数設けた刈刃押さえ部材２６のうち、前記中央下刃部２３の左右両側の刈刃押さえ部材２６Ａのプレート部２９は互いに接近させて中央下刃部２３上に臨ませたことを特徴とするコンバインとしたものであり、刈刃１０の上刃２２の左側上刃２２Ａと右側上刃２２Ｂは、下刃２１のうち左右中央位置の中央下刃部２３を基準に、互いに接近し、互いに離れるように移動して穀稈を切断する。
刈刃１０の上刃２２の上方位置には、摺動する上刃２２を上方から押さえる刈刃押さえ部材２６を設け、複数の刈刃押さえ部材２６のうち、中央下刃部２３の左右両側の刈刃押さえ部材２６Ａのプレート部２９は互いに接近させて、中央下刃部２３上に臨むように形成しているので、穀稈屑や泥土は中央下刃部２３上に堆積せず、刈刃押さえ部材２６Ａのプレート部２９と下刃２１の間を上刃２２の左側上刃２２Ａと右側上刃２２Ｂは移動して穀稈を切断する。
請求項２の発明は、前記中央下刃部２３の左右両側の刈刃押さえ部材２６Ａのプレート部２９の夫々の先端は、少なくとも、中央下刃部２３の前後方向中心部よりも夫々前方に突出させたことを特徴とするコンバインとしたものであり、左右両側の刈刃押さえ部材２６Ａのプレート部２９は、中央下刃部２３の前後方向中心部よりも夫々前方に突出させているので、中央下刃部２３上に穀稈屑や泥土が堆積するのを抑制する。
請求項３の発明は、前記左側上刃２２Ａと右側上刃２２Ｂとが接近方向に摺動した状態で、各刈刃押さえ部材２６Ａの左右のプレート部２９の端縁の間に、上下に貫通する孔部３１が形成される構成としたことを特徴とするコンバインとしたものであり、刈刃押さえ部材２６Ａの左右のプレート部２９の端縁の間に、上下に貫通する孔部３１が形成されるので、刈刃押さえ部材２６Ａの左右のプレート部２９の上方の藁屑等は孔部３１から落下し、左右の刈刃押さえ部材２６Ａの各プレート部２９上に堆積するのを抑制する。
請求項４の発明は、前記中央下刃部２３の左右両側の刈刃押さえ部材２６Ａ以外の他の刈刃押さえ部材２６のプレート部２９には、下刃２１の刃部２４の上方に臨む凸形状の突出部３０を設けたことを特徴とするコンバインとしたものであり、刈刃押さえ部材２６のプレート部２９の突出部３２が下刃２１の刃部２４の上方に臨み、左右の刈刃押さえ部材２６Ａの各プレート部２９上に堆積するのを抑制する。
請求項５の発明は、前記下刃２１の各刃部２４の上面には、下方に凹んで潤滑部材を充填させる凹部３３を形成したことを特徴とするコンバインとしたものであり、凹部３３にグリス等の潤滑部材を充填させることで、上刃２２および下刃２１が摩耗しにくくなる。
請求項６の発明は、複数の刈刃押さえ部材２６のうちの、所定位置の刈刃押さえ部材２６に注油ノズル３５を取付けたことを特徴とするコンバインとしたものであり、所定位置の刈刃押さえ部材２６の注油ノズル３５から上刃２２に適宜注油することで、上刃２２および下刃２１が摩耗しにくくなる。
【発明の効果】
【０００６】
請求項１記載の発明では、左右の刈刃押さえ部材２６Ａのプレート部２９が互いに接近して中央下刃部２３上に堆積する穀稈屑や泥土を落とすことができ、上刃２２の左側上刃２２Ａと右側上刃２２Ｂの移動を円滑にでき、穀稈の切断性能を向上させることができる。
請求項２記載の発明では、上記請求項１記載の発明の効果に加え、左右側の刈刃押さえ部材２６Ａの各プレート部２９が中央下刃部２３の上面を覆うことができ、中央下刃部２３上に穀稈屑や泥土が堆積するのを抑制でき、穀稈の切断性能を向上させることができる。
請求項３記載の発明では、上記請求項２記載の発明の効果に加え、刈刃押さえ部材２６Ａの左右のプレート部２９の端縁の間に形成される孔部３１からプレート部２９の上側の藁屑等を落下させることができ、左右の刈刃押さえ部材２６Ａの各プレート部２９上に堆積するのを抑制し、穀稈の切断性能を向上させることができる。
請求項４記載の発明では、上記請求項１または請求項２または請求項３記載の発明の効果に加え、刈刃押さえ部材２６のプレート部２９の突出部３２によって下刃２１の刃部２４の上側に堆積する穀稈屑や泥土を落とすことができ、左側上刃２２Ａと右側上刃２２Ｂの摺動を円滑にでき、穀稈の切断性能を向上させることができる。
請求項５記載の発明では、上記請求項１または請求項２または請求項３または請求項４記載の発明の効果に加え、凹部３３にグリス等の潤滑部材を充填させているので、上刃２２の摺動抵抗を軽減でき、切断性能を向上させることができ、また、刈刃１０の耐久性を向上させられることができる。
請求項６記載の発明では、上記請求項１または請求項２または請求項３または請求項４または請求項５記載の発明の効果に加え、注油ノズル３５により適宜上刃２２に注油でき、上刃２２の摺動抵抗を軽減して、切断性能を向上させられる。
【図面の簡単な説明】
【０００７】
【図１】コンバインの側面図。
【図２】刈刃部分の平面図。
【図３】刈刃の中央部分の平面図。
【図４】刈刃の縦断側面図。
【図５】刈刃押さえ部材の他の実施例の平面図。
【図６】刈刃押さえ部材の他の実施例の平面図。
【図７】刈刃押さえ部材の他の実施例の平面図。
【図８】同縦断側面図。
【図９】刈刃押さえ部材の他の実施例の平面図。
【図１０】同縦断側面図。
【図１１】搬送装置の展開状態平面図。
【図１２】同背面図。
【図１３】同平面図。
【図１４】同側面図。
【図１５】ホルダ部分の正面図。
【図１６】取付部材の平面図。
【図１７】搬送装置および取付部材の位置説明図。
【図１８】操縦部の概略側面図。
【図１９】同概略斜視図。
【図２０】操縦部および刈取装置のはみ出し部の概略斜視図。
【発明を実施するための形態】
【０００８】
本発明の一実施例をコンバインの図面により説明すると、１はコンバインの機体フレーム、２は機体フレーム１の下方に設けた走行装置、３は機体フレーム１の上方に設けた脱穀装置、４は脱穀装置３の前側に設けた刈取部、５は脱穀装置３の側部に設けたグレンタンク、６はグレンタンク５の前側に設けた操縦部である。
前記刈取装置４は、最先端位置に分草装置８を左右に並設し、各分草装置８の後側に分草装置８が分草した穀稈を引起す引起装置９を設け、引起装置９の後側には刈刃１０を設け、刈刃１０の上方の後側には刈刃１０によって刈り取った穀稈を搬送する穀稈搬送装置１１を設ける。
穀稈搬送装置１１の構成は任意であり、分草装置８で分草して引起装置９で引起して刈刃１０で株元を切断した穀稈を搬送する前側搬送装置（図示省略）や掻き込み装置１３や後方に搬送する後側搬送装置（図示省略）等により構成する。１２は脱穀装置３に穀稈を供給搬送する穀稈供給搬送装置であり、穀稈供給搬送装置１２の始端部に後側搬送装置（図示省略）からの穀稈を引き継ぐ引継搬送装置１３を設けており、引継搬送装置１３は前記穀稈搬送装置１１の一部を構成している。
【０００９】
１４は刈取装置４側の刈取フレーム、１５は下部伝動ケース、１６は刈刃フレーム、１７は分草杆、１８はクランクである。
前記刈取装置４の刈刃１０は、刈取装置４側の刈刃フレーム１６に固定状態に設けた下刃２１と左右に往復摺動する上刃２２により構成する。上刃２２は、中央より左側に位置する左側上刃２２Ａと右側に位置する右側上刃２２Ｂとを夫々別体に形成し、この左側上刃２２Ａと右側上刃２２Ｂは、左右独立したナイフバー２２Ｃ、２２Ｄに夫々リベットで取付け、このナイフバー２２Ｃ、２２Ｄを摺動駆動することで、左側上刃２２Ａと右側上刃２２Ｂを互いに反対に移動させる。
即ち、前記下刃２１のうち左右中央位置の中央下刃部２３は、他の下刃２１の刃部２４より大きく形成し、この中央下刃部２３を基準に、上刃２２は左右に分割すると共に、左側上刃２２Ａと右側上刃２２Ｂは、互いに接近し、互いに離れるように移動する。
【００１０】
前記刈刃１０の上刃２２の上方位置には、摺動する上刃２２を上方から押さえる刈刃押さえ部材２６を設ける。刈刃押さえ部材２６は上刃２２の摺動方向に所定間隔を置いて複数設ける。刈刃押さえ部材２６は、基部の取付部２７を前記刈刃フレーム１６に固定し、刈刃押さえ部材２６の先端のプレート部３０は上刃２２の上面の上方に臨ませる。
前記刈刃押さえ部材２６のうち、前記中央下刃部２３の左右側の刈刃押さえ部材２６Ａのプレート部２９は互いに接近させて、プレート部２９の突出部３０を中央下刃部２３上に臨むように形成する。
そのため、切断性能を向上させられる。
また、前記左右側の刈刃押さえ部材２６Ａのプレート部２９の突出部３０の先端は、少なくとも、中央下刃部２３の前後方向中心部よりも夫々前方に突出させる。
そのため、切断性能を向上させられる。
また、図３の刈刃押さえ部材２６Ａのプレート部２９の端縁は互いに略隙間なく当接させている。
【００１１】
図５は、刈刃押さえ部材２６の他の実施例を示し、刈刃押さえ部材２６Ａの左右のプレート部２９の端縁の間に、上下に貫通する孔部３１を設ける。
そのため、刈刃押さえ部材２６Ａの左右のプレート部２９の上方に藁屑等が堆積するのを防止でき、切断性能を向上させられる。
図６は、刈刃押さえ部材２６の他の実施例を示し、刈刃押さえ部材２６のプレート部２９には、下刃２１の刃部２４の上方に臨む凸形状の突出部３２を設ける。
そのため、プレート部２９の前後長さが長くなるので、切断性能を向上させられる。
前記下刃２１の各刃部２４の一部または全部には、下方に凹む凹部３３を形成し、凹部３３にグリス等の潤滑部材を充填させる（図７，図８）。
そのため、上刃２２の摺動抵抗を軽減できるので、切断性能を向上させられる。
また、刈刃１０の耐久性を向上させられる。
【００１２】
図９、図１０は、刈刃押さえ部材２６の他の実施例を示し、複数の刈刃押さえ部材２６のうちの、所定位置の刈刃押さえ部材２６には、注油ノズル３５を取付ける。注油ノズル３５には注油ホース３６を接続し、注油ノズル３５に送油する。
そのため、上刃２２の摺動抵抗を軽減できるので、切断性能を向上させられる。
また、刈刃１０の耐久性を向上させられる。
図１１〜図１７は、穀稈供給搬送装置１２の始端部に穀稈を引き継ぐ引継搬送装置１３を示し、引継搬送装置１３は、ラグ式の穂先搬送装置４０とチエン式の株元側搬送装置４１により構成する。株元側搬送装置４１は搬送チエン４２と搬送チエン４２に対して遠近移動する挾扼杆４３により構成する。
この挾扼杆４３は、穀稈に当接する当接部４４の取付部４５に取付杆４６の先端を固定する。取付杆４６の基部は、ホルダ４７に摺動自在に取付ける。
ホルダ４７は取付部材４８に着脱自在に取付け、取付部材４８に対してホルダ４７を当接部４４ごと着脱して、挾扼杆４３を固定部に対して着脱自在に構成する。
【００１３】
この場合、取付部材４８を固定部に対して、前記搬送チエン４２に対峙する挾持方向と挾持方向に対する交差方向（上下方向）に位置調節自在に構成する（図１４、図１７）。
そのため、挾扼杆４３の製造誤差を取付時の位置調整で吸収することができ、製造組付が容易となる。
また、挾扼杆４３の変形に対しても、位置調整で対応することも可能となって、耐久性を向上させられる。
前記取付部材４８は、固定フレーム４９に固定の支持部材５０に対して上下に移動自在に取付けた固定側部材５１と、固定側部材５１に対して挾持方向に位置変更自在に設けた移動側部材５２とにより構成する。
そのため、挾扼杆４３の移動調節機構を簡素に構成する。
即ち、固定フレーム固定フレーム４９側の支持部材５０に対して長孔５３と止着部材５４により固定側部材５１を移動自在に取付ける。
【００１４】
また、固定側部材５１には、複数の取付孔５３を設け、取付孔５３を選択することにより、長稈作業と短稈作業とに切替える。
即ち、標準穀稈の場合は長孔５３Ａにより取付け、短穀稈の場合は長孔５３Ｂに切り替えて取付ける（図１７）。
前記ホルダ４７の搬送チエン４２側には係合孔(図示省略)を設け、係合孔に移動側部材５２に設けた係合ピン５７を係合させる。反搬送チエン４２側のホルダ４７には係合ピン５８を設け、係合ピン５８に移動側部材５２に設けた係合フック５９を係合させる。係合フック５９は軸６１により回動自在に構成する。
また、係合フック５９より上方に突出する係合ピン５８には操作レバー６０の係合溝６１を係合させる。操作レバー６０はホルダ４７に取付軸６２により回動自在に取付け、係合ピン５８に係合溝６１を係合させると、前記係合フック５９の上面と重なって、係合フック５９の係合解除不能状態に押さえるように構成する。
【００１５】
したがって、操作レバー６０を係合ピン５８より外すと、係合フック５９を係合ピン５８から離脱させ、ホルダ４７を移動側部材５２に対して移動させて、ホルダ４７の係合孔５６を係合ピン５７から外すと、ホルダ４７を移動側部材５２から外すことができる。
それゆえ、単に、操作レバー６０を解除させただけでは、ホルダ４７を取り外すことができず、ホルダ４７を意識的に移動側部材５２に対して移動させることで、外せることになり、不用意なロック解除を防止できる。
反対に、ホルダ４７を移動側部材５２に対して移動させて、ホルダ４７の係合孔５６を係合ピン５７に係合させると、ホルダ４７は移動側部材５２に納まり、係合フック５９を係合ピン５８に係合させると、挾持方向および上下方向にホルダ４７を固定状態とし、更に、操作レバー６０の係合溝６１を係合ピン５８に係合させて、係合フック５９をロックする。
【００１６】
したがって、意識的に、操作レバー６０をロックさせなければ、ロックできず、操作レバー６０をロックさせられないときは、挾扼杆４３の装着作業に不具合発生していることになり、挾扼杆４３の挾扼杆４３の装着作業の確実性を向上させることができる。
図１８、図１９は、操縦部６の床面６５に搭乗する際に使用するステップに関するものであり、機体フレーム１側に設けた固定ステップ６６と格納式補助ステップ６７を設ける。
更に、前記刈取装置４は、操縦部６より右側にはみ出て構成し、この操縦部６より右側にはみ出し部分６８に刈取側補助ステップ６９を設ける。
刈取側補助ステップ６９は格納式補助ステップ６７より低い位置に設ける。
そのため、操縦部６への乗降が容易となる。
また、刈取装置４のはみ出し部分６８を有効利用できる。
【００１７】
前記はみ出し部分６８には、作業灯７０を設けると、前記刈取側補助ステップ６９や格納式補助ステップ６７の位置を容易に視認できて、乗降を動作を容易にする。
図２０は、作業灯７０の実施例を示し、作業灯７０をはみ出し部分６８の上部または上下中間部の何れか一方または両方に設けている。
そのため、夜間。刈取装置４の側方の視認性や刈取側補助ステップ６９や格納式補助ステップ６７の視認性を向上させられる。
【００１８】
（実施例の作用）
走行装置２により走行し、分草装置８により分草し、各分草装置８が分草した穀稈を引起装置９により引起し、引起装置９が引き起こした穀稈を刈刃１０が切断して搬送し、脱穀する。
刈取装置４の刈刃１０は、刈取装置４の刈刃フレーム１６に固定状態に設けた下刃２１と左右に往復摺動する上刃２２により構成し、該上刃２２は、中央より左側に位置する左側上刃２２Ａと右側に位置する右側上刃２２Ｂとを夫々別体に形成し、左側上刃２２Ａと右側上刃２２Ｂは互いに反対に移動し、下刃２１のうち左右中央位置の中央下刃部２３を基準に、左側上刃２２Ａと右側上刃２２Ｂは互いに接近し、互いに離れるように移動して穀稈切断する。
【００１９】
刈刃１０の上刃２２の上方位置には、摺動する上刃２２を上方から押さえる刈刃押さえ部材刈刃押さえ部材２６を設け、刈刃押さえ部材２６は基部の取付部取付部２７を刈刃フレーム１６に固定し、刈刃押さえ部材２６の先端のプレート部プレート部２９は上刃２２の上面の上方に臨ませているから、刈刃押さえ部材２６のプレート部２９と下刃２１の間を上刃２２が移動して圃場の穀稈を刈り取る。
複数の刈刃押さえ部材２６のうち、中央下刃部２３の左右側の刈刃押さえ部材２６Ａのプレート部２９は互いに接近させて、中央下刃部２３上に臨むように形成しているので、切断性能を向上させられる。
即ち、上刃２２は穀稈を切断するとき、穀稈が中央下刃部２３の上に乗り上げて、上刃２２を上方に押し上げるように作用し、所謂切断抵抗となるが、左右の刈刃押さえ部材２６Ａと刈刃押さえ部材２６Ｂのプレート部２９を互いに接近させると、上刃２２はプレート部２９により押さえられて、浮き上がりが防止され、これにより、切断抵抗を軽減させ、切断性能を向上させられる。
【００２０】
また、前記左右側の刈刃押さえ部材２６Ａのプレート部２９は、中央下刃部２３の前後中間部よりも夫々前方に突出させているので、プレート部２９による押さえ効果を向上させ、切断性能を向上させられる。
図５の刈刃押さえ部材２６の他の実施例では、刈刃押さえ部材２６Ａの左右のプレート部２９の端縁の間に、上下に貫通する孔部３１を設けているので、刈刃押さえ部材２６Ａの左右のプレート部２９の上方に藁屑等が堆積するのを防止でき、切断性能を向上させられる。
図６の刃押さえ部材２６の他の実施例では、刈刃押さえ部材２６のプレート部２９には、下刃２１の刃部２４の上方に臨む凸形状の突出部３０を設けているので、プレート部２９の前後長さが長くなって、切断性能を向上させられる。
前記下刃２１の各刃部２４の一部または全部には、下方に凹む凹部３３を形成し、凹部３３にグリス等の潤滑部材を充填させているので、上刃２２の摺動抵抗を軽減できるので、切断性能を向上させ、また、刈刃１０の耐久性を向上させられる。
【００２１】
図９の刈刃押さえ部材２６の他の実施例では、複数の刈刃押さえ部材２６のうちの、所定位置の刈刃押さえ部材２６には、注油ノズル３５を取付けているので、注油ノズル３５により適宜上刃２２に注油でき、上刃２２の摺動抵抗を軽減して、切断性能を向上させられる。
なお、前記した各実施例は、理解を容易にするために、個別または混在させて図示、あるいは説明しているが、これらは夫々種々組合せ可能であり、これらの表現によって、構成・作用等が限定されるものではなく、また、相乗効果を奏する場合も勿論存在する。
【符号の説明】
【００２２】
１…機体フレーム、２…走行装置、３…脱穀装置、４…刈取装置、５…グレンタンク、６…操縦部、１０…刈刃、１１…穀稈搬送装置、１２…穀稈供給搬送装置、１３…引継搬送装置、１４…フレーム、２１…下刃、２２…上刃、２２Ａ…左側上刃、２２Ｂ…右側上刃、２３…中央下刃部、２４…刃部、２６、２６Ａ、２６Ｂ…刈刃押さえ部材、２７…取付部、２９プレート部、３０…突出部、３１…孔部、３３…凹部、３５…注油ノズル、３６…注油ホース、４０…穂先搬送装置、４１…株元側搬送装置、４２…搬送チエン、４３…挾扼杆、４４…当接部、４５…取付部、４６…取付杆、４７…ホルダ、４８…取付部材、４９…固定フレーム、５０…支持部材、５１…固定側部材、５２…移動側部材、５３、５３Ａ、５３Ｂ…長孔、５４…止着部材、５５…取付孔、５６…係合孔、５７…係合ピン、５８…係合ピン、５９…係合フック、６０…操作レバー、６１…係合溝。
【図１】
2012029594.tif 000003
【図２】
2012029594.tif 000004
【図３】
2012029594.tif 000005
【図４】
2012029594.tif 000006
【図５】
2012029594.tif 000007
【図６】
2012029594.tif 000008
【図７】
2012029594.tif 000009
【図８】
2012029594.tif 000010
【図９】
2012029594.tif 000011
【図１０】
2012029594.tif 000012
【図１１】
2012029594.tif 000013
【図１２】
2012029594.tif 000014
【図１３】
2012029594.tif 000015
【図１４】
2012029594.tif 000016
【図１５】
2012029594.tif 000017
【図１６】
2012029594.tif 000018
【図１７】
2012029594.tif 000019
【図１８】
2012029594.tif 000020
【図１９】
2012029594.tif 000021
【図２０】
2012029594.tif 000022